(57)【要約】【課題】給水装置を備えたアイロン装置において、スムーズに給水または排水を行うことができるアイロン装置を実現する。【解決手段】サブタンク７を具備するアイロン本体１と、メインタンク１７と給水装置１９を備えた載置台１２からなるアイロン装置において、メインタンク１７と給水装置１９の間に第二の弁体２１を設けることで、送水する水の経路での水の蒸発を防ぐことができるとともに、メインタンク１７を取り外したときの水の逆流による飛び出しを防ぐことが可能となる。【選択図】図１
2005102973.tif 000002
【特許請求の範囲】
【請求項１】
ヒータによって加熱されるベースに備えられた気化室へ供給する水を貯えるサブタンクを備えたアイロン本体と、第一の弁体を有した着脱自在のメインタンク、及び前記メインタンクから前記サブタンクに給水または前記サブタンクから前記メインタンクに排水するポンプ装置を備えた載置台とを具備し、前記ポンプ装置と前記メインタンクとの間に第二の弁体を設けたアイロン装置。
【請求項２】
第二の弁体は、メインタンクに貯えられた水をサブタンクに給水、または前記サブタンク内の水を前記メインタンクに排水するためにポンプ装置が動作したとき開成する請求項１に記載のアイロン装置。
【請求項３】
第二の弁体は、メインタンクを載置台から取り外したときに閉じる請求項１または２に記載のアイロン装置。
【請求項４】
第二の弁体は、逆止弁によって構成された請求項１〜３のいずれか１項に記載のアイロン装置。
【請求項５】
第二の弁体は、ポンプ装置の給水、排水の動作により水の流れの方向に開成する請求項１〜４のいずれか１項に記載のアイロン装置。
【請求項６】
第二の弁体を載置台に設けた請求項１〜５のいずれか１項に記載のアイロン装置。
【発明の詳細な説明】
【技術分野】
【０００１】
本発明は衣類等のしわ伸ばしを行うアイロン装置に関するものである。
【背景技術】
【０００２】
従来、アイロン本体を載置台に載置して加熱し、アイロンがけ時には、アイロン本体を載置台から取り外して使用するアイロン装置において、載置台にメインタンクとポンプ装置を具備して、アイロン本体のサブタンクとの間で、給水、排水を行い、使用途中でアイロン本体のサブタンクに給水することなく、一度に多くの衣類等のしわ伸ばしを行えるアイロン装置があった（例えば、特許文献１参照）。
【０００３】
図５は、この種のアイロン装置を示したもので、メインタンク１７に水を入れて載置台１２に載置する際に、メインタンク１７に設けた弁体１８が開成して、メインタンク１７とポンプ装置１９が連通するようになっていた。
【特許文献１】特開平３−１１２６００号公報
【発明の開示】
【発明が解決しようとする課題】
【０００４】
しかしながら、従来の構造のものでは、弁体１８を有したメインタンク１７をポンプ装置１９を備えた載置台１２に装着したときに、弁体１８が開成してメインタンク１７とポンプ装置１９と連通するために、メインタンク１７を載置台１２から外したときには、ポンプ装置１９が水路２０を介し外気と繋がった状態になる。この状態で放置した場合には、ポンプ装置１９への水路２０の水が蒸発してしまい水路２０に空気が入り込み、メインタンク１７を再度載置台１２に装着し、メインタンク１７の水をポンプ装置１９を通してアイロン本体１に給水する場合に、空気が噛んでしまい、上手く水を送れないという問題があった。
【０００５】
また、アイロン本体１からポンプ装置１９を通して水をメインタンク１７に排水中にメインタンク１７を載置台１２から外した場合、ポンプ装置１９と外気が連通した状態であるため、水が載置台１２の外に飛び出す恐れがあった。
【０００６】
本発明は、前記従来の課題を解決するもので、アイロンがけを行っていない時には、メインタンクとポンプ装置とを連通しないようにし、使い勝手のよいアイロン装置を得ることを目的とする。
【課題を解決するための手段】
【０００７】
前記従来の課題を解決するために、本発明のアイロン装置は、ヒータによって加熱されるベースに備えられた気化室へ供給する水を貯えるサブタンクを備えたアイロン本体と、第一の弁体を有した着脱自在のメインタンク、及び前記メインタンクから前記サブタンクに給水または前記サブタンクから前記メインタンクに排水するポンプ装置を備えた載置台とを具備し、前記ポンプ装置と前記メインタンクとの間に第二の弁体を設けたものである。
【０００８】
これにより、メインタンクを載置台から取り外したときに、蒸発等により水路の水の減少を防ぐことが可能となるとともに、水路からの水の飛び出しも防ぐことが可能となる。
【発明の効果】
【０００９】
本発明のアイロン装置は、衣類等のしわ伸ばしを行うアイロン本体を載置台に載置することにより、同アイロン本体に水が自動的に供給されるアイロン装置において、スムーズな水の供給を行うことができるアイロン装置を実現することができる。
【発明を実施するための最良の形態】
【００１０】
第１の発明は、ヒータによって加熱されるベースに備えられた気化室へ給水するサブタンクを備えたアイロン本体と、第一の弁体を有した着脱自在のメインタンク、及び前記メインタンクから前記サブタンクに給水または前記サブタンクから前記メインタンクに排水するポンプ装置を備えた載置台とを具備し、前記ポンプ装置とメインタンクとの間に第二の弁体を設けたことにより、前記メインタンクを前記載置台から外したときには、前記ポンプ装置が外気と連通せず、ポンプ装置への水路の水の蒸発を防ぐことができ、また、ポンプ装置からの水の漏れがなくなる。
【００１１】
第２の発明は、第１の発明の第二の弁体は、メインタンクに貯えられた水をサブタンクに給水、または前記サブタンク内の水を前記メインタンクに排水するためにポンプ装置が動作したときに開成することにより、ポンプ装置が給水または排水動作をするとき以外は、ポンプ装置は外気と連通することがなく、確実にポンプ装置を外気から遮断して、水路の水の蒸発を防ぐことができる。
【００１２】
第３の発明は、第１または第２の発明の第二の弁体は、メインタンクを載置台から取り外したときに閉じることにより、ポンプ装置はメインタンクが装着されていない状態では、外気と連通することがなくなり、ポンプ装置への水路の水の蒸発を防ぐことができ、また、ポンプ装置からの水漏れを防ぐことができる。
【００１３】
第４の発明は、第１〜第３の発明の第二の弁体は、逆止弁によって構成したことにより、簡単な構成で、ポンプ装置を外気から遮断でき、また、ポンプ装置からの水漏れを防ぐことが可能となる。
【００１４】
第５の発明は、第１〜第４の発明の第二の弁体はポンプ装置の給水、排水の動作により水の流れの方向に開成することにより、水の流れに対しての抵抗が少なくなり、スムーズな水の送水が可能となる。
【００１５】
第６の発明は、第１〜第５の発明の第二の弁体は載置台に設けたことにより、メインタンクとポンプ装置との間の外気と連通する水路長を短く設定することが可能となり、外気と連通する水を少なくすることができる。
【００１６】
以下、本発明の実施の形態について、図面を参照しながら説明する。なお、この実施の形態によって本発明が限定されるものではない。
【００１７】
（実施の形態１）
図１は本発明の実施の形態１におけるアイロン装置の要部側断面図である。図１において、１はアイロン本体で、蓋体２に覆われた気化室３を形成したベース４、このベース４を加熱するヒータ５、気化室３に導水路６を介して連結したサブタンク７、このサブタンク７に水を供給するための受水部８、ヒータ５に接続された受電端子９、サブタンク７の水位を検知する水位検知手段１０、アイロン本体１を作業者が持つための把手１１を有している。受水部８はアイロン本体１の把手１１の長手方向の延長線上において、前記受電端子９より後方に設けられている。
【００１８】
１２は載置台で、アイロン本体１をベース４の後部を下方にして傾斜載置する載置部１３、アイロン本体１の受電端子９と接続される給電部１４、アイロン本体１の受水部８と対向した位置、つまり、受電端子９より後方で、載置部１３の左右の中央に設けられた給水部１５、作業者がアイロン本体１を載置する時にアイロン本体１に設けられた受電端子９と載置台１２に設けられた給電部１４と対向した位置にアイロン本体１を導くとともに、アイロン本体１に設けられた受水部８とスタンド１２に設けられた給水部１５とを対向する位置にアイロン本体１を導くガイド部１６、アイロン本体１のサブタンク７に給水部１５及び受水部８を介して供給する水を貯えるためのメインタンク１７を有している。
【００１９】
前記メインタンク１７には、メインタンク１７を載置台１２に装着したときに開成する第一の弁体１８が備えられている。また載置台１２には、メインタンク１７に貯えられた水を給水部１５および受水部８を介してアイロン本体１のサブタンク７へ送るためのポンプ等で構成されたポンプ装置１９、前記メインタンク１７とポンプ装置１９との間に設けられた水路２０上に第二の弁体２１を設けている。この第二の弁体２１は、球体２２とコイルバネ２３と球体２２との接触面を備えた弁筒２４を備えており、球体２２はコイルバネ２３によって弁筒２４の接触面に付勢され、ポンプ装置１９が駆動していない状態では閉状態となっている。また、載置台１２には、ヒータ５への通電およびこのポンプ装置１９の駆動を制御する複数の電子部品により構成された制御手段２５を有している。
【００２０】
また、ポンプ装置１９は、メインタンク１７に貯えられた水をサブタンク７へ送るためだけではなく、逆にサブタンク７の水を前記メインタンク１７に排水することも可能であり、前記第二の弁体２１は一方向だけではなく、逆方向にも同じ構成を持つことができる。
【００２１】
上記構成において、次に動作、作用を説明する。まず、アイロンがけを行うときはアイロン本体１を載置台１２の載置部１３に載置して電源を投入する。このとき、アイロン本体１に設けられている受水部８と載置台１２に設けられている給水部１５はガイド部１６に案内されて対向した位置に案内され、接続される。そして、アイロン本体１のサブタンク７と載置台１２のポンプ装置１９が連通状態となる。また、作業者が水を給水したメインタンク１７を載置台１２に装着することにより、第一の弁体１８が開成し、ポンプ装置１９とメインタンク１７が水路２０の第二の弁体２１を介して接続される。第二の弁体２１は通常球体２２がコイルバネ２３によって付勢され、ポンプ装置１９が駆動していない状態では、閉状態となっている。
【００２２】
ここで、制御手段２２によってポンプ装置１９が駆動し、水路２０内の圧力が変化することで、コイルバネ２３により弁筒２４に付勢されていた球体２２が移動し、閉じていた第二の弁体２１を開放することになり、メインタンク１７の水は給水部１５および受水部８を介して、アイロン本体１のサブタンク７へ給水される。アイロン本体１のタンク７に所定の水量が給水されると水位検知手段１０により検知し、制御手段２２によってポンプ装置１９が停止する。
【００２３】
この場合、ポンプ装置１９が駆動してはじめて、第二の弁体２１が開成し、水を送水できるようにしているため、ポンプ装置１９が駆動していないときには、第二の弁体２１は閉じており、水路２０の水の蒸発を防ぐことができ、再度ポンプ装置１９が駆動した場合に、蒸発による空気の噛み込みで、ポンプ装置１９が上手く駆動しないということを防ぐことができる。
【００２４】
また、第二の弁体２１をメインタンク１７を載置台１２から取り外したときに閉じる構成としたことで、不用意にメインタンク１７を載置台１２から取り外したときに、ポンプ装置１９の駆動及び水路２０の内圧による水漏れを防ぐことができる。
【００２５】
ここで、第二の弁体２１は、図２に示すダックビル弁２６や図３に示すアンブレラ弁２７等の逆止弁で構成しても同様の効果を得られる。
【００２６】
また、図４に示すように第二の弁体を弾性を持ったゴム等の板２８で構成し、板２８の中央に十字の切り込み２９をいれておくことで、水の流れの方向に弁が開く状態になる。この状態の弁では、水の流れに対し、弁での水の抵抗が少なくなり、スムーズな水の流れを確保できる。
【産業上の利用可能性】
【００２７】
以上のように、本発明にかかるアイロン装置は、アイロン本体を載置台に載置したときに載置台のメインタンクからアイロン本体のサブタンクに水を円滑に給水または排水することが可能となるので、載置台にメインタンクとポンプ装置を備えたアイロン装置等として有用である。
【図面の簡単な説明】
【００２８】
【図１】本発明の実施の形態１のアイロン装置の要部側断面図
【図２】第二の弁体をダックビル弁で構成した同アイロン装置の要部側断面図
【図３】第二の弁体をアンブレラ弁で構成した同アイロン装置の要部側断面図
【図４】本発明の実施の形態１の第二の弁体の斜視図
【図５】従来のアイロン装置の要部側断面図
【符号の説明】
【００２９】
１  アイロン本体
３  気化室
４  ベース
５  ヒータ
７  サブタンク
８  受水部
１２  載置台
１５  給水部
１７  メインタンク
１８  第一の弁体
１９  ポンプ装置
２１  第二の弁体
【図１】
2005102973.tif 000003
【図２】
2005102973.tif 000004
【図３】
2005102973.tif 000005
【図４】
2005102973.tif 000006
【図５】
2005102973.tif 000007